(57)【特許請求の範囲】
【請求項１】
吐水液が流れる流路を有するチューブと、
前記チューブの出口端部に接続され、前記流路と連通する吐水路を有する吐水部と、
前記吐水部に連設されて前記チューブを包囲し、外周面に取付部材への取り付けのための雄ねじが形成され、前記雄ねじの形成領域が前記吐水部とは反対側となる前記取付部材の裏面側の空間部に突出して配置される取付ねじ部とを備え、  前記取付ねじ部には、前記チューブを挿通させることが可能な開口が形成され、
前記開口が、前記取付ねじ部の端縁側に開放される切り欠きであり、
前記開口の開放端は、前記チューブが導入される導入部となり、
前記チューブは、前記取付ねじ部の端面の開口部分から屈曲させられ、前記導入部を通して前記開口に差し込まれることが可能であることを特徴とする吐水装置。
【発明の詳細な説明】
【技術分野】
【０００１】
本発明は、吐水装置に関する。
【背景技術】
【０００２】
特許文献１には、洗面化粧台に設けられた吐水装置としての水栓ユニットが開示されている。水栓ユニットは、洗面化粧台の前面を覆うハウジング本体を有し、ハウジング本体に水栓本体が取り付けられている。水栓本体は、ハウジング本体の裏面側の空間部に突出する部分（以下、取付部と称する）を有し、取付部を介してハウジング本体に固定される。取付部の後端には、吐水液が流れる吐水用配管などのチューブが接続されている。
【先行技術文献】
【特許文献】
【０００３】
【特許文献１】特開平７−１８９３０５号公報
【発明の概要】
【発明が解決しようとする課題】
【０００４】
ところで、上記特許文献１に記載はないが、取付部をハウジング本体に固定する際には、取付部の外周面に形成された雄ねじにナットを螺合させ、ナットと取付部の前方に形成されたフランジとの間でハウジング本体を挟み込むような構成にすることが多い。
【０００５】
しかし、例えば、ハウジング本体の裏面側の空間部に水栓ユニットの壁面などの対向面が対向して配置される場合に、この対向面とハウジング本体との間の離間距離が短いと、つまり空間部が狭いと、取付部の後端が対向面に近づき過ぎてしまい、取付部の後端後方にチューブが通るスペースを確保することができないという事情がある。このため、上記構成は、空間部が狭い構造への適用が困難であり、汎用性に欠けるという問題がある。
【０００６】
本発明は上記のような事情に基づいて完成されたものであって、スペースに余裕がないところにもチューブを配設することができる汎用性に優れた吐水装置を提供することを目的とする。
【課題を解決するための手段】
【０００７】
本発明の吐水装置は、吐水液が流れる流路を有するチューブと、前記チューブの出口端部に接続され、前記流路と連通する吐水路を有する吐水部と、前記吐水部に連設されて前記チューブを包囲し、外周面に取付部材への取り付けのための雄ねじが形成され、前記雄ねじの形成領域が前記吐水部とは反対側となる前記取付部材の裏面側の空間部に突出して配置される取付ねじ部とを備え、前記取付ねじ部には、前記チューブを挿通させることが可能な開口が形成され、前記開口が、前記取付ねじ部の端縁側に開放される切り欠きであり、前記開口の開放端は、前記チューブが導入される導入部となり、前記チューブは、前記取付ねじ部の端面の開口部分から屈曲させられ、前記導入部を通して前記開口に差し込まれることが可能であるところに特徴を有する。
【発明の効果】
【０００８】
仮に、取付部材の裏面側の空間部に壁面などの対向面が対向して配置され、対向面と取付ねじ部との間に十分なスペースを確保することができない場合には、取付ねじ部の開口にチューブを挿通させることで、チューブを配設することができる。
【０００９】
一方、上記対向面が存在せず、あるいは対向面と取付ねじ部との間に十分なスペースを確保することができる場合には、チューブを取付ねじ部の端面開口から延出する形態で配設することができる。
また、ナットなどの締結部材が開口を覆いつつ雄ねじと螺合することにより、締付部材の締付領域を十分に確保することができる。さらに、チューブを、取付ねじ部の端縁の切欠部分から開口に差し込むことができ、配設作業性を向上させることができる。
【００１０】
したがって、本発明の吐水装置によれば、スペースに余裕がないところにもチューブを配設することができ、ひいては広狭いずれのスペースにもチューブを配設することができるため、汎用性に優れる。
【図面の簡単な説明】
【００１１】
【図１】本発明の実施例１に係る吐水装置を含むトイレルームの斜視図である。
【図２】洗面化粧台に設置された吐水装置の断面図である。
【図３】汚物流しユニットに設置された吐水装置の断面図である。
【図４】吐水装置の斜視図である。
【図５】タンクの側面図である。
【図６】パネルの取付孔に挿入された取付ねじ部の背面図である。
【発明を実施するための形態】
【００１３】
＜実施例１＞
以下、実施例１を図面に基づいて説明する。実施例１は、多目的トイレのトイレルーム９０における洗面化粧台７０と汚物流しユニット８０のそれぞれに設置される水石鹸の吐水装置１０を例示するものである。なお、以下の説明において前後方向については、使用者が位置する側を前側とし、トイレルーム９０の壁面に向かう側を後側とする。
【００１４】
図１に示すように、トイレルーム９０は、前方に洗面器９１及び手洗い器９２が設けられた第１パネル９３Ａと、前方に汚物流し用のボウル９４が設けられた第２パネル９３Ｂとを有している。第２パネル９３Ｂの前方には、さらに、便器９５、跳ね上げ手すり９６及び背もたれ９７が設けられ、第１パネル９３Ａの前方には、さらに、固定手すり９８及びトイレットペーパーホルダー９９が設けられている。洗面化粧台７０と汚物流しユニット８０のそれぞれの上部には、鏡８８Ａ、８８Ｂが設けられている。洗面化粧台７０は、吐水装置１０と、水栓８７と、ボウル部８６とを有している。また、汚物流しユニット８０は、吐水装置１０と、水栓の吐出部８５及び操作部８４と、ボウル９４とを有している。
【００１５】
図２及び図３に示すように、吐水装置１０は、合成樹脂製で可撓性の円管材からかるチューブ１１と、チューブ１１の一端部１１Ａ（出口端部）に接続される吐水部１２と、吐水部１２の後端部に同軸で連設され、チューブ１１の外周を取り囲む円筒状の取付ねじ部１３とを備えている。この吐水装置１０は、洗面化粧台７０と汚物流しユニット８０のそれぞれで同一の構成であり、それぞれに共用される。
【００１６】
チューブ１１の内部は、一端部１１Ａに向けて水石鹸（吐水液）が流れる流路１４になっている。チューブ１１の他端部１１Ｂは、水石鹸が貯留されるタンク１５（図５を参照）に接続されている。水石鹸は、吐水部１２の後述するポンプ機構により吸い上げられ、チューブ１１の流路１４を経て吐水部１２に移送される。なお、タンク１５は、トイレルーム９０の下キャビネット７８（図１を参照）の内部に収容されている。
【００１７】
洗面化粧台７０に設置される吐水装置１０のチューブ１１は、図２に示すように、第１パネル９３Ａの内側（裏側）の第１配設空間８３Ａに配設されている。第１配設空間８３Ａは、上下方向に沿った第１パネル９３Ａと、第１パネル９３Ａと平行に対向して配置されるトイレルーム９０の壁面などの第１対向面８２Ａとの間に区画されている。また、汚物流しユニット８０に設置される吐水装置１０のチューブ１１は、図３に示すように、第２パネル９３Ｂの内側の第２配設空間８３Ｂに配設されている。第２配設空間８３Ｂは、上記同様、上下方向に沿った第２パネル９３Ｂと、第２パネル９３Ｂと平行に対向して配置されるトイレルーム９０の壁面などの第２対向面（図３では寸法上図示されず）との間に区画されている。
【００１８】
第２パネル９３Ｂと第２対向面との間の離間距離は、第１パネル９３Ａと第１対向面８２Ａとの間の離間距離よりも大きく、第２配設空間８３Ｂは、第１配設空間８３Ａよりも広大になっている。なお、以下の説明において、第１パネル９３Ａと第２パネル９３Ｂの区別をする必要がない場合にはこれらを総称して単にパネル９３と称する。同様に、第１配設空間８３Ａと第２配設空間８３Ｂを総称して単に配設空間８３と称する。
【００１９】
吐水部１２は、全体として前後方向に延出する円柱状の形態になっている。図２及び図３に示すように、吐水部１２は、外周面を覆う外周カバー１７と、前面を覆う前側カバー１８と、前側カバー１８に接続される押圧本体部１９と、押圧本体部１９の前端から下向きに突出する吐出管部２１と、押圧本体部１９の後端部に内嵌される前側逆止弁２２と、押圧本体部１９の後端部に外嵌される前側シリンダ２３と、前側シリンダ２３と前側カバー１８との間に介挿されるバネ部材４７と、前側シリンダ２３の内周に摺動可能に収容されるピストン２４と、前側シリンダ２３の後端部に接続される後側シリンダ２５と、後側シリンダ２５の前端部に内嵌される後側逆止弁２６とを有している。
【００２０】
前側逆止弁２２と後側逆止弁２６には、それぞれ球形の弁体２７、２８と、弁体２７、２８を、弁口を閉じる向きに付勢するバネ４５、４６が設けられている。これら弁体２７、２８は、ピストン２４の往復移動に伴い弁口を開閉する方向に変位する。
【００２１】
吐水部１２の内部には、後側シリンダ２５、後側逆止弁２６、ピストン２４、前側逆止弁２２、前側シリンダ２３、押圧本体部１９及び吐出管部２１のそれぞれの中空軸孔を通して水石鹸が流れる吐水路２９が形成されている。吐水路２９は、後側シリンダ２５の後端部にチューブ１１の一端部１１Ａが被着されることで、チューブ１１の流路１４と連通している。吐出管部２１の下端面には、ボウル９４又はボウル部８６の底部に向けて開口する吐出口３１が設けられている。前側逆止弁２２と後側逆止弁２６は、吐出口３１側に向かう水石鹸の流れを許容するが、その逆の流れを規制するように作用する。また、前側シリンダ２３内における前側逆止弁２２と後側逆止弁２６との間の空間は、水石鹸が充填される充填室３２になっている。
【００２２】
使用に際し、前側カバー１８がバネ部材４７の付勢力に抗して後退すると、後側逆止弁２６が閉止されていることから、充填室３２に充填された水石鹸の圧力によって弁体２７がバネ４５の付勢力に抗して開弁方向に移動して、前側逆止弁２２が開放される。これにより、充填室３２の水石鹸が吐水路２９を通して吐出口３１から吐出される。さらに水石鹸の流れが止まる位置に至ると、弁体２７がバネ４５の付勢力に従って閉弁方向に移動し、前側逆止弁２２が閉止される。その後、前側カバー１８の押圧が解除されると、ピストン２４がバネ部材４７の付勢力に従って前進し、弁体２８がバネ４６の付勢力に抗して開弁方向に移動して、後側逆止弁２６が開放される。これにより、充填室３２にタンク１５側の水石鹸が吸い込まれて充填される。その後、水石鹸の流れが止まると、弁体２８がバネ４６の付勢力に従って閉弁方向に移動して、後側逆止弁２６が閉止される。こうして前側カバー１８を押圧することにより、タンク１５内の水石鹸を、吐水路２９を経て吐出口３１から吐出させることが可能となっている。
【００２３】
続いて、取付ねじ部１３の構造を説明する。図４に示すように、取付ねじ部１３は、吐水部１２の外周カバー１７に後方から内嵌される挿入筒部３３と、挿入筒部３３の後端外周から径方向外側に張り出す円環板状のフランジ部３４と、挿入筒部３３の後端に同軸で一体に連設される本体ねじ部３５とを有している。
【００２４】
図２及び図３に示すように、挿入筒部３３には、その下端部の前後方向に間隔をあけた２箇所にねじ孔３６が設けられている。外周カバー１７の下端部には、ねじ孔３６と対応する位置にねじ通し孔３７が設けられている。挿入筒部３３が外周カバー１７に内嵌され、ねじ通し孔３７からねじ孔３６にかけて止めねじ４０が螺挿されることにより、取付ねじ部１３が吐水部１２に固定される。また、挿入筒部３３が外周カバー１７に内嵌されると、挿入筒部３３の内部に後側逆止弁２６及び後側シリンダ２５が収容されるとともに、本体ねじ部３５の内部にチューブ１１の一端部１１Ａとそこから延出する一端寄り部分が挿通される。
【００２５】
取付ねじ部１３は、パネル９３に貫設された取付孔８１に前方から挿入される。このとき、本体ねじ部３５の前部は取付孔８１に挿入され、本体ねじ部３５の後部はパネル９３の裏面側（後面側）の配設空間８３に突出して配置される。図２及び図３に示すように、第２パネル９３Ｂの厚みは第１パネル９３Ａの厚みよりも大きいため、本体ねじ部３５の前部は、第２パネル９３Ｂの取付孔８１に対して第１パネル９３Ａの取付孔８１よりも深く挿入される。一方、本体ねじ部３５の後部は、第２配設空間８３Ｂに対し第１配設空間８３Ａよりも小さく突出する。また、挿入筒部３３が吐水部１２とともにパネル９３の表面側（前面側）の空間に突出して配置され、フランジ部３４がパネル９３の表面に対面して配置される。
【００２６】
図４及び図６に示すように、本体ねじ部３５は、外周面の上下位置に、一対の平坦部３８が形成され、平坦部３８を除く円弧状の周面部分に、雄ねじ３９が形成されている。雄ねじ３９は、本体ねじ部３５の上記周面部分の全体に螺刻されている。本体ねじ部３５の雄ねじ３９には、六角ナットなどのナット５０が螺合する。
【００２７】
一対の平坦部３８は、互いに平行な二面幅状の切欠平面になっている。ここで、図６に示すように、パネル９３の取付孔８１には、一対の平坦面３８に対応する平坦な直線部８１Ａが含まれている。取付ねじ部１３がパネル９３の取付孔８１に挿入される際に、平坦部３８が取付孔８１の直線部８１Ａに沿って配置されることで、取付孔８１内における取付ねじ部１３の位置決めがなされるとともに、取付ねじ部１３の軸周りの回転が規制されるようになっている。両平坦部３８のうち、下側の平坦部３８には、チューブ１１を通すための開口４１が設けられている。開口４１は、本体ねじ部３５の下端部において、平坦部３８から内周面にかけて厚み方向に貫通し、且つ前後方向に延出して本体ねじ部３５の後端縁に開放されるＵ字形の切り欠きとして構成される。開口４１は、図４に示すように、円弧状の奥端部４９（開放される側とは逆側の縁部）を有し、この奥端部４９を除いてチューブ１１の外径よりも若干大きい開口幅を有している。奥端部４９は、断面円形をなすチューブ１１の外周形状に対応した円弧状をなし、チューブ１１が開口４１に通されたときに、内側にチューブ１１を円滑に逃がすように構成されている。開口４１の後端は、チューブ１１が導入される導入部４３として構成される。
【００２８】
次に、パネル９３に対する吐水装置１０の取付構造について説明する。  
組み付けに際し、吐水部１２にチューブ１１の一端部１１Ａが装着され、続いて吐水部１２に取付ねじ部１３が接続される。その状態で、パネル９３の取付孔８１に前方から取付ねじ部１３の本体ねじ部３５が挿入される。その後、ナット５０が、チューブ１１に沿って通され、本体ねじ部３５の雄ねじ３９にねじ込まれ、ナット５０とフランジ部３４との間にパネル９３が厚み方向に挟み込まれる（図２及び図３を参照）。これにより、取付ねじ部１３が吐水部１２とともにパネル９３に固定される。なお、パネル９３とナット５０との間には、座金６１とパッキン６２が介挿される。
【００２９】
ここで、吐水装置１０が洗面化粧台７０に設置される場合には、第１配設空間８３Ａが狭く、本体ねじ部３５の後端面と第１対向面８２Ａとの間の離間距離が小さいため、本体ねじ部３５の後端面の開口部分からチューブ１１を取り回しするのに十分なスペースを確保することができない。そこで、チューブ１１は、下向きに屈曲させられ、導入部４３を通して本体ねじ部３５の開口４１に差し込まれる。これにより、図２に示すように、チューブ１１が本体ねじ部３５の開口４１を通して下向きに延出させられ、第１配設空間８３Ａに支障なく収容される。このとき、ナット５０は、雄ねじ３９と螺合した状態で、開口４１と重なる位置には配置されない。よって、開口４１のほぼ全体が開放され、チューブ１１の開口４１への差し込みがナット５０で規制されることはない。
【００３０】
一方、吐水装置１０が汚物流しユニット８０に設置される場合には、第２配設空間８３Ｂが広く、本体ねじ部３５の後端面と第２対向面との間の離間距離が大きいため、図３に示すように、本体ねじ部３５の後端面の開口部分からチューブ１１を後方に延出させることができる。このため、チューブ１１は開口４１に通されずに第２配設空間８３Ｂに支障なく収容される。
【００３１】
ここで、第２パネル９３Ｂの厚みが大きいため、ナット５０は、雄ねじ３９と螺合した状態で開口４１に重なり、開口４１を、導入部４３を残して覆い隠す。もっとも、ナット５０は、開口４１を含む平坦部３８を除く部分で雄ねじ３９と螺合する状態を維持するため、雄ねじ３９に対する締付領域をとくに減少させることはない。
【００３２】
以上説明したように、実施例１によれば、取付ねじ部１３の開口４１にチューブ１１が挿通されることにより、狭いスペースであってもチューブ１１を配設することができる。一方、広いスペースには、チューブ１１が取付ねじ部１３の後端後方に支障なく延出させられる。このとき、ナット５０が開口４１を覆いつつ雄ねじ３９と螺合するため、ナット５０の締付力を確保することができる。したがって、洗面化粧台７０と汚物流しユニット８０のそれぞれに設置される吐水装置１０を１つの品番で共用することができ、吐水装置１０の汎用性が高められる。
【００３３】
また、開口４１が取付ねじ部１３の端縁側に開放される切り欠きであるため、導入部４３を通して開口４１にチューブ１１を差し込むことができ、チューブ１１の取り回しが良好で、配設作業性の向上を図ることができる。
【００３４】
＜他の実施例＞
以下、他の実施例を簡単に説明する。  
（１）吐水装置が取り付けられる部材（取付部材）としては、板状のパネルに限らず、所定厚みを有する壁又はブロックであってもよい。  
（２）開口は、取付ねじ部に複数設けられていてもよい。この場合、チューブは、各開口のうちの１つに選択的に挿通されるとよい。  
（３）開口は、取付ねじ部の後端縁に開放されずに全周が閉じたループ孔であってもよい。  
（４）開口がチューブの外径とほぼ同一の開口幅を有し、開口の溝面にチューブが幅方向に挟まれて保持されるものであってもよい。  
（５）開口にチューブが挿通された状態で、開口の一部にナットが重なるように配置されるものであってもよい。
【符号の説明】
【００３５】
１０…吐水装置
１１…チューブ
１１Ａ…一端部（出口端部）
１２…吐水部
１３…取付ねじ部
１４…流路
２９…吐水路
３９…雄ねじ
４１…開口
５０…ナット
８３…配設空間（裏面側の空間部）
９３…パネル（取付部材）
【図１】
0006640551.tif 000002
【図２】
0006640551.tif 000003
【図３】
0006640551.tif 000004
【図４】
0006640551.tif 000005
【図５】
0006640551.tif 000006
【図６】
0006640551.tif 000007